(57)【特許請求の範囲】
【請求項１】
オーディオシステムにおけるアンプ入力からスピーカーにまで及ぶ信号パス全体の消磁を行う消磁器において、
発振する略正弦波の周波数がそれぞれ異なる複数の周波数帯域別発振部と、
該複数の周波数帯域別発振部からの発振信号を混合信号に混合する多信号混合部と、
該混合信号の包絡線振幅を、徐々に減衰させて交番式の消磁信号を生成する電圧制御増幅部とを備え、複数の周波数成分を含む該消磁信号を生成するもので、
該電圧制御増幅部が、該混合信号の包絡線振幅の減衰傾斜に緩急の繰り返しを持たせ、緩やかに減衰する期間が急激に減衰する期間より長いことを特徴とする消磁器。
【請求項２】
前記電圧制御増幅部が、前記混合信号の包絡線振幅を、約１秒掛けて最大振幅にした後に、徐々に減衰させることを特徴とする請求項１記載の消磁器。
【請求項３】
オーディオシステムにおけるアンプ入力からスピーカーにまで及ぶ信号パス全体の消磁を行う消磁方法において、
略正弦波の周波数がそれぞれ異なる複数の発振信号を生成し、
次に、該複数の発振信号を混合信号に混合し、
該混合信号の包絡線振幅を、徐々に減衰させて交番式の消磁信号を生成して、複数の周波数成分を含む該消磁信号を生成し、
該混合信号の包絡線振幅の減衰傾斜に緩急の繰り返しを持たせ、緩やかに減衰する期間が急激に減衰する期間より長いことを特徴とする消磁方法。
【請求項４】
前記混合信号の包絡線振幅を、約１秒掛けて最大振幅にした後に、徐々に減衰させることを特徴とする請求項３記載の消磁方法。
【発明の詳細な説明】
【技術分野】
【０００１】
本発明は、オーディオシステムにおけるアンプ入力からスピーカにまで及ぶ信号パス全体の消磁を行う消磁器及び消磁方法に関する。
【背景技術】
【０００２】
従来より、アンプからスピーカケーブルを経由してスピーカにまで及ぶオーディオシステムの全般にわたって消磁を行う方法として、アンプのライン入力に消磁信号を入力して行うものがある。この消磁信号は、交番式消磁法で、特定の正弦波を徐々に減衰させたものである。
【０００３】
消磁信号をアンプのライン入力に入力する従来の交番式消磁法を用いた装置としては、例えば、非特許文献１に示されるようなものがある。この非特許文献１に示される消磁器は、単一周波数の正弦波を徐々に減衰させて消磁信号を生成するものである。
【０００４】
また、他の消磁方法としては、ＣＤ（コンパクトディスク：Compact Disc）に録音された音によるものもあるようである。このＣＤによる音は、実際には、周波数を時間的に変化させる（周波数スイープ）ようにしたものである。
【先行技術文献】
【特許文献】
【０００５】
【非特許文献１】Top>Products>Exorcist、［online］、２０１０年、Gryphon Audio Designs、［平成２２年７月７日検索］、インターネット＜http://www.gryphon-audio.dk/＞、英語
【発明の概要】
【発明が解決しようとする課題】
【０００６】
しかしながら、従来の単一周波数の正弦波による消磁器では、音域により振り分けを行なっている２ウェイ、３ウェイのスピーカシステムではスピーカシステムに内蔵されたディバイダ・ネットワーク（ローパスフィルター、バンドパスフィルター、ハイパスフィルター）の周波数成分振り分けによって、消磁信号がすべてのスピーカまで届かず、システム全体を消磁できない。
【０００７】
また、同様に既存のＣＤによるものは、周波数スイープにより周波数は変化するが振幅は変化しないために消磁の効果が十分ではない。さらに、ＣＤによるものは、ホワイトノイズ又はピンクノイズや掃引信号などを含み、不快な音が連続し、長時間音を出すことは不快感を伴うことが多い。
【０００８】
本発明は、このような事情に鑑みてなされたもので、フルレンジのスピーカだけでなく、２ウェイや３ウェイといって複数の周波数帯域のスピーカを備えるスピーカシステムでも、オーディオシステムにおけるアンプ入力からスピーカにまで及ぶ信号パス全体の消磁又は減磁を行うことができる消磁器及び消磁方法を提供することにある。
【課題を解決するための手段】
【０００９】
請求項１記載の消磁器は、発振する略正弦波の周波数がそれぞれ異なる複数の周波数帯域別発振部と、複数の周波数帯域別発振部からの発振信号を混合信号に混合する多信号混合部と、混合信号の包絡線振幅を、徐々に減衰させて交番式の消磁信号を生成する電圧制御増幅部とを備え、複数の周波数成分を含む消磁信号を生成するもので、電圧制御増幅部が、混合信号の包絡線振幅の減衰傾斜に緩急の繰り返しを持たせ、緩やかに減衰する期間が急激に減衰する期間より長いことを特徴とする。
【００１０】
請求項２記載の消磁器は、電圧制御増幅部が、混合信号の包絡線振幅を、約１秒掛けて最大振幅にした後に、徐々に減衰させることを特徴とする。
【００１１】
請求項３記載の消磁方法は、略正弦波の周波数がそれぞれ異なる複数の発振信号を生成し、次に、複数の発振信号を混合信号に混合し、混合信号の包絡線振幅を、徐々に減衰させて交番式の消磁信号を生成して、複数の周波数成分を含む消磁信号を生成し、混合信号の包絡線振幅の減衰傾斜に緩急の繰り返しを持たせ、緩やかに減衰する期間が急激に減衰する期間より長いことを特徴とする。
【００１２】
請求項４記載の消磁方法は、混合信号の包絡線振幅を、約１秒掛けて最大振幅にした後に、徐々に減衰させることを特徴とする。
【発明の効果】
【００２１】
請求項１及び請求項３の発明によれば、消磁信号が複数の周波数成分を含むことから、フルレンジのスピーカだけでなく、２ウェイや３ウェイといって複数の周波数帯域のスピーカを備えるスピーカシステムでも、オーディオシステムにおけるアンプ入力からスピーカにまで及ぶ信号パス全体の消磁又は減磁を行うことができる。また、混合信号の包絡線振幅の減衰傾斜に緩急の繰り返しを持たせ、緩やかに減衰する期間が急激に減衰する期間より長いことから、緩やかに減衰させる期間を長く取って、スピーカから再生される消磁信号の音の違和感を抑えつつ、急激に減衰する期間を緩やかに減衰する期間とセットで持たせることで、全体としてより短い期間で消磁又は減磁を行うことができる。
【００２２】
請求項２及び請求項４の発明によれば、混合信号の包絡線振幅を、約１秒掛けて最大振幅にした後に、徐々に減衰させることから、消磁の開始時点で、いきなり大きな音で消磁信号がスピーカで再生されることを抑えることができる。
【図面の簡単な説明】
【００２７】
【図１】本発明に係る消磁器の構成の一例を示す構成図である。
【図２】同消磁器の正規化制御電圧を示すグラフである。
【発明を実施するための形態】
【００２８】
以下、本発明の形態について図面を参照しながら具体的に説明する。図１は、本発明に係る消磁器の構成の一例を示す構成図である。図２は、同消磁器の正規化制御電圧を示すグラフである。図１における消磁器１は、オーディオシステムにおけるアンプ入力からスピーカにまで及ぶ信号パス全体の消磁を行うための消磁信号を発生させる装置であり、交番式消磁法に基づく消磁信号をアンプのライン入力に入力することができるように構成している。
【００２９】
消磁器１は、制御部１０、低域用発振部２２、中域用発振部２４、高域用発振部２６、多信号混合部２０、電圧制御増幅部１２、電圧増幅部１４等から構成されている。
【００３０】
制御部１０は、消磁器１全体の操作上の制御を行うと共に、各部の制御を行うものである。本実施の形態の消磁器１では、この制御部１０をＭＰＵ（Micro-Processing Unit：マイクロプロセッサ）とソフトウェアにより構成させている。より具体的には、制御部１０は、後述する電圧制御増幅部１２の制御指示のための信号となる包絡線電圧を発生するための正規化制御電圧を生成するＤ／Ａコンバータ、消磁器１の動作状況を表示する液晶表示制御機能（液晶表示は不図示）、各種スイッチの情報を取り込むインタフェース機能（スイッチが不図示）等を備えている。尚、本実施の形態の消磁器１では、制御部１０をＭＰＵによりソフトウェアにより動作する形態を採用しているが、ソフトウェアによる場合に限られるものではなく、ハードウェアのみによる場合や、ハードウェアとソフトウェアとの組み合わせによる場合などであってもよい。
【００３１】
周波数帯域別発振部である低域用発振部２２、中域用発振部２４及び高域用発振部２６は、それぞれ異なる周波数の略正弦波を発振する発振器である。本実施の形態の消磁器１では、低域用発振部２２、中域用発振部２４、高域用発振部２６は、ＭＰＵとソフトウェアにより構成されていて、内蔵するＤ／Ａコンバータの出力をソフトウェアにより制御して、所定の周波数の略正弦波の発振信号を生成している。この発振信号の略正弦波は、Ｄ／Ａコンバータの出力によるため厳密には階段状の正弦波であり、高調波成分を含んでいる。尚、本実施の形態の消磁器１では、低域用発振部２２、中域用発振部２４、高域用発振部２６をＭＰＵによりソフトウェアにより動作する形態を採用しているが、ソフトウェアによる場合に限られるものではなく、ハードウェアのみによるアナログ発振や、ハードウェアとソフトウェアとの組み合わせによる場合などであってもよい。
【００３２】
低域用発振部２２、中域用発振部２４、高域用発振部２６の発振信号の周波数は、適宜定めるようにすれば良いが、例えば、スピーカシステムに用いられる各帯域のスピーカの再生中心の周波数を選ぶようにする。具体的には、本実施の形態の消磁器１の低域用発振部２２は２２４Ｈｚ、中域用発振部２４は１，１２０Ｈｚ、高域用発振部２６は２１，３４０Ｈｚにしている。すなわち、低域用発振部２２の周波数がウーファー用であり、中域用発振部２４の周波数がスコーカー用であり、高域用発振部２６の周波数がツイーター用である。尚、各周波数帯域別発振部である低域用発振部２２、中域用発振部２４、高域用発振部２６の発振信号の周波数は、必ずしも相互に関連性を持たせる必要はないが、本実施の形態の消磁器１では、各周波数帯域別発振部の周波数が、ほぼ倍音の関係になるようにしている。
【００３３】
尚、周波数帯域別発振部は、特に３個と限られるわけではなく、いくつで構成してもよい。また、１つの周波数帯域別発振部で、複数の周波数の発振信号を生成できるようにして、発振信号の周波数を切り換えられるような構造にするようにしてもよい。具体的には、本実施の形態の消磁器１の低域用発振部２２では、基本的に２２４Ｈｚの発振信号を生成するが、スイッチを設けて、そのスイッチを切り換えることで、８８Ｈｚの発振信号を生成することができるようにしている。この８８Ｈｚは、超低域用サブウーファー用であり、ディバイダ・ネットワークで減衰されてしまうため、ディバイダ・ネットワークのカットオフ周波数以下の周波数に切り替えることにより、サブウーファーのディバイダ・ネットワーク及びボイスコイルにも適用することができるようにしている。
【００３４】
多信号混合部２０は、周波数帯域別発振部である低域用発振部２２、中域用発振部２４、高域用発振部２６からの発振信号を混合信号に混合するものである。多信号混合部２０は、加算信号だけでなく乗算信号を発生させることで、基本波並びに高調波の和と積の多数の信号周波数成分を作り出し混合する。本実施の形態の消磁器１では、多信号混合部２０には、混合比最適化パッシブミキサーを用いている。
【００３５】
電圧制御増幅部１２は、多信号混合部２０で生成された混合信号の包絡線振幅を、徐々に減衰させて交番式の消磁信号を生成するものである。本実施の形態の消磁器１では、制御部１０で生成された正規化制御電圧を包絡線振幅の制御値として、混合信号の包絡線振幅を変化させる。尚、正規化制御電圧の波形、すなわち包絡線振幅の変化のさせ方は、後述する。
【００３６】
電圧増幅部１４は、電圧制御増幅部１２で包絡線振幅が制御された消磁信号を、アンプのライン入力に入力可能な信号レベルに増幅するものである。尚、電圧制御増幅部１２の出力側に、例えばカットオフ周波数が７７ｋＨｚのローパスフィルタを設け、不要な高域の周波数成分を除去するようにしてもよい。また、アンプのライン入力側との接続の関係で、消磁器１及びアンプを相互に破損させないように、電圧増幅部１４と消磁器１の出力端子までの間に、アナログスイッチやＭＯＳＦＥＴスイッチ等を設けるようにしてもよい。
【００３７】
次に、消磁信号（混合信号）の包絡線振幅の制御について、図２により説明する。まず、消磁開始の一番最初の区間Ａでは、約１秒掛けて包絡線振幅を最大振幅にするようにする。そして、その後に区間Ｂ〜区間Ｅで、包絡線振幅を徐々に減衰させていく。本実施の形態の消磁器１では、区間Ａ〜区間Ｅまでの時間、すなわち消磁に要する時間は、約６５秒である。区間Ｂ〜区間Ｅでは、図２でも明らかなように、包絡線振幅の減衰傾斜に緩急の繰り返しを持たせ、緩やかに減衰する期間が急激に減衰する期間より長くなるようにしている。具体的には、まず区間Ｂで緩やかに包絡線振幅を減衰させ、次の区間である区間Ｃで、区間Ｂよりも急な傾斜で包絡線振幅を減衰させる。続く区間Ｄと区間Ｅでは、区間Ｂと区間Ｃと同様に、まず緩やかに包絡線振幅を減衰させ、次の区間で、前の区間よりも急な傾斜で包絡線振幅を減衰させるようにする。そして、緩やかに減衰する期間（区間Ｂ、区間Ｄ）が急激に減衰する期間（区間Ｃ、区間Ｅ）より長くなっている。
【００３８】
以上のように構成され動作する本実施の形態の消磁器１によれば、周波数帯域別発振部である低域用発振部２２、中域用発振部２４、高域用発振部２６を備え、消磁信号が複数の周波数成分を含むことから、フルレンジのスピーカだけでなく、２ウェイや３ウェイといって複数の周波数帯域のスピーカを備えるスピーカシステムでも、オーディオシステムにおけるアンプ入力からスピーカにまで及ぶ信号パス全体の消磁又は減磁を行うことができる。
【００３９】
また、複数の発振信号を和積算して混合信号に混合することから、消磁信号により多くの周波数成分を含ませることが可能で、広い帯域でより平均的な消磁又は減磁を行うことができる。すなわち、周波数帯域別発振部である低域用発振部２２、中域用発振部２４、高域用発振部２６の発振信号は正弦波に近いが高調波成分を持たせるため、Ｄ／Ａ変換の後、ローパスフィルターを通さず加算信号だけでなく乗算信号を発生させ、基本波並びに高調波の和と積の多数の信号周波数成分を作り出し、コイル、コンデンサ、抵抗器で形成されるあらゆるディバイダ・ネットワークのクロスオーバー周波数に対しても通過することができるのでスピーカシステムのディバイダ・ネットワークのコイル及びスピーカのボイスコイルの消磁又は減磁を行うことができる。また、複数の発振信号を和積算して混合信号に混合することから、消磁信号により多くの周波数成分を含ませることが可能で、周波数帯域別発振部の数を抑えることも可能となる。
【００４０】
さらに、発振信号が、階段状の略正弦波で、高調波成分を含むことから、発振信号の発振周波数よりも上のＣＤでは記録及び再生できない高調波を消磁信号に含ませることが可能で、より高域での消磁又は減磁を行うことができる。具体的には、ＣＤの高域周波数は標本化周波数が４４．１ｋＨｚであることから、シャノンの定理より２２ｋＨｚまでの再生しか行えないが、現在の高域用高級スピーカは４０ｋＨｚないし５０ｋＨｚ程度まで再生能力を有し、ＣＤでは高調波（倍音成分）を含ませられないのに対し、消磁器１では、最高周波数６０ｋＨｚ台の倍音までを含みスピーカのボイスコイルの消磁又は減磁を行うことができる。
【００４１】
さらに、各発振信号の周波数が、互いに倍音の関係にあることから、消磁信号がスピーカから再生された場合でも、複数の周波数成分を含むことによる音のうねりを抑え、再生音の不快感を抑えることができる。
【００４２】
さらに、混合信号の包絡線振幅の減衰傾斜に緩急の繰り返しを持たせ、緩やかに減衰する期間が急激に減衰する期間より長いことから、緩やかに減衰させる期間を長く取って、スピーカから再生される消磁信号の音の違和感を抑えつつ、急激に減衰する期間を緩やかに減衰する期間とセットで持たせることで、全体としてより短い期間で消磁又は減磁を行うことができる。
【００４３】
さらに、混合信号の包絡線振幅を、約１秒掛けて最大振幅にした後に、徐々に減衰させることから、消磁の開始時点で、いきなり大きな音で消磁信号がスピーカで再生されることを抑えることができる。
【産業上の利用可能性】
【００４４】
以上のように、本発明は、ＭＣカートリッジの昇圧トランスやエレキギターのピックアップの消磁にも利用可能である。
【符号の説明】
【００４５】
１・・・・消磁器
１０・・・制御部
１２・・・電圧制御増幅部
１４・・・電圧増幅部
２０・・・多信号混合部
２２・・・低域用発振部
２４・・・中域用発振部
２６・・・高域用発振部
【図１】
0005697921.tif 000002
【図２】
0005697921.tif 000003